(57)【要約】【課題】他の鋏から識別することが容易な鋏、及び鋏用指掛けを提供する。【解決手段】本考案の鋏１は、夫々刃部２ａ，２ｂ及び環状の指通孔５ａ，５ｂを有する持手部３ａ，３ｂを備えた一対の鋏片４ａ，４ｂと、これらを軸１０周りに互いに回動可能に枢着する枢着部１１と、一対の持手部３ａ，３ｂの少なくとも何れか一方に対して着脱可能であり、指通孔５ａ，５ｂに挿入されない指を支持可能な鋏用指掛け２０を具備し、鋏用指掛け２０は、指掛本体２１と、持手部３ａ，３ｂの螺子孔１２ａ，１２ｂの少なくとも何れか一方に対して螺合可能な螺子部２２と、指掛本体２１の外周に沿って環状に設けられた溝部２５と、溝部２５に対して着脱自在なＯリング３０とを備える。【選択図】図１
0003111340.tif 000002
【実用新案登録請求の範囲】
【請求項１】
夫々刃部及び環状の指通孔を有する持手部を備えた一対の鋏片と、
前記刃部と前記持手部との間に位置し、一対の前記鋏片を軸周りに回動可能に互いに枢着する枢着部と、
一対の前記持手部及び前記枢着部の少なくとも何れか一つに設けられ、触覚及び視覚の少なくとも何れか一方により他の鋏と識別可能とする識別部と
を具備することを特徴とする鋏。
【請求項２】
一対の前記持手部の少なくとも何れか一方において、前記指通孔に挿入されない指を支持可能に設けられる指掛けを更に具備し、
該指掛けが前記識別部を有する
ことを特徴とする請求項１に記載の鋏。
【請求項３】
前記識別部は、
着脱可能に形成された識別端子と、
前記指掛けの指掛本体に設けられ、前記識別端子を止着可能な識別受部と
を具備することを特徴とする請求項２に記載の鋏。
【請求項４】
前記識別端子は、前記指掛けに挿通可能な環状部材であり、
前記識別受部は、前記指掛けの前記指掛本体の外周に沿って環状に形成され、前記環状部材を止着可能な溝部であることを特徴とする請求項３に記載の鋏。
【請求項５】
鋏の環状の指通孔に挿入されない指を支持可能な指掛本体と、
該指掛本体の端部に形成され、前記指通孔を有する一対の持手部の少なくとも何れか一方に着脱可能な取付部と、
触覚及び視覚の少なくとも何れか一方により他の鋏と識別可能とする識別部と
を具備することを特徴とする鋏用指掛け。
【考案の詳細な説明】
【技術分野】
【０００１】
本考案は、理髪店や美容院等で使用される理美容用の鋏及びその鋏に着脱可能な鋏用指掛けに関するものである。
【背景技術】
【０００２】
従来より、美容師や理容師によって、いろいろな形状の刃を有する種々の鋏が使用されている。例えば、正面形状が直線状、曲線状、鋸歯状等の刃を有する鋏が使用されている。また、刃の形状は同様であっても、刃の長さや厚さにおいても様々な種類があり、刃先についても鋭利なものや丸めたもの等あり、鋏の種類は極めて多種多様である。そこで、美容師や理容師は、客の所望する髪型や仕上げの過程に応じて、これらの多くの種類の鋏の中から使用する鋏を適宜選択し、使い分けている。そして、図４に例示するように、美容師等９０が、ウェストにベルト９１によって取付けたシザーケース９２に４〜６本の鋏１００を入れて携帯し、客の髪をカットしながら頻繁に鋏を取替えて作業することもよく行われている。
【考案の開示】
【考案が解決しようとする課題】
【０００３】
しかしながら、従来の鋏では、刃の形状が相違する場合であっても、その他の部分はどれも同じような形状をしているため、上記のようなシザーケース９２に入れた状態では、鋏の種類を識別することは困難であった。従って、髪をカットしながら鋏を取替える際に、いったんケース９２から鋏１００を抜出して、刃の形状を確認しなければならかった。そのため、動作に無駄が生じて髪をカットする一連の作業が中断され、作業性が悪いという問題があった。そこで、刃の形状を逐一確認しなくても、鋏の種類を識別できる手段が望まれていた。
【０００４】
そこで、本考案は上記の実情に鑑み、他の鋏から識別することが容易な鋏、及び鋏用指掛けを提供することを課題とするものである。
【課題を解決するための手段】
【０００５】
本考案に係る鋏は、「夫々刃部及び環状の指通孔を有する持手部を備えた一対の鋏片と、前記刃部と前記持手部との間に位置し、一対の前記鋏片を軸周りに回動可能に互いに枢着する枢着部と、一対の前記持手部及び前記枢着部の少なくとも何れか一つに設けられ、触覚及び視覚の少なくとも何れか一方により他の鋏と識別可能とする識別部とを」主に具備して構成されている。
【０００６】
ここで、識別部とは、触覚及び視覚の何れか、或いはその両方を通じて、鋏を他の鋏から識別可能とする構成を有するものであり、鋏の持手部及び枢着部の何れか、或いはその両方に設けるものとすることができる。例えば、持手部の外縁において切削等により特徴ある形状の部分を形成したもの、筋や模様を彫刻等したもの、特徴ある形状等を有する別体を持手部に付加したものを挙げることができる。このように、刃部の形状の相違以外に識別部を有することにより、かかる識別部を指標として他の鋏と識別することが可能となる。この識別は、識別部の形状、色、模様等を視覚を通じて認識することによって行うことができる。また、識別部を、手を触れたときに認識可能な特徴的な形状や凹凸を有するものとすることにより、触覚を通じて他の鋏と識別することもできる。
【０００７】
上記のように、特徴ある形状等を有する別体を持手部に付加して識別部を形成する場合は、溶着、接着等により、その別体を持手部に固定するものとすることができる。また、剥離式の接着部を有するようなものであれば、鋏の使用者自身が容易に別体を鋏に付加し、その後は鋏片に固定されるものとすることも可能となる。
【０００８】
また、かかる別体を持手部に対して着脱可能なものとすることもできる。例えば、Ｃ状、帯状等に形成され、指通孔に取付け可能なものを挙げることができる。そして、かかる着脱可能な別体の取付け状態を安定したものとするために、別体を止着可能な構成を持手部が具備するものとすることもできる。例えば、Ｃ状、帯状の部材を止着可能な溝部を持手部に形成するもの、指通孔の外縁において螺子孔を設け、これに別体の螺子部材を取付けるものを例示することができる。
【０００９】
従って、本考案によれば、持手部及び枢着部の少なくとも何れか一方に設けられた識別部を指標として、触覚及び視覚の少なくとも何れか一方によって、他の鋏と識別することが可能となる。
【００１０】
これにより、例えば、美容師等の鋏の使用者が複数の鋏をケースに入れて携帯し、髪をカットしながら鋏を取替える場合等においても、ケースから鋏を抜出すなどして刃の形状を確認するまでもなく、鋏を識別することが可能となる。このとき、持手部や枢着部の識別部を一瞥して視認することにより、視覚によって容易に識別を行うことができる。或いは、識別部の形状や凹凸を指標として、鋏の持手部や枢着部に手を触れた際の触覚によって、鋏を識別することも可能となる。
【００１１】
また、本考案に係る鋏は、「一対の前記持手部の少なくとも何れか一方において、前記指通孔に挿入されない指を支持可能に設けられる指掛けを更に具備し、該指掛けが前記識別部を有する」ものとすることができる。
【００１２】
ここで、指掛けは、鋏の使用者が持手部の指通孔に挿入しない指（使用者によって相違するが、通常は小指又は薬指）を支持するために、持手部に設けられるものである。一般的に、静刃側の鋏片の持手部に設けられるが、動刃と静刃の区別なく使用可能な鋏もあり、一対の鋏片の一方に設けられるものとすることも、両方の鋏片に設けられるものとすることもできる。
【００１３】
また、持手部を延設して形成する等、指掛けと鋏片とが一体的に構成されている場合であっても、鋏片とは別体に形成された指掛けを持手部に対して取付けるものであってもよい。そして、別体の場合においては、持手部に対して、着脱自在なものであっても、接着、溶着等により持手部に固定されるものであってもよい。
【００１４】
更に、指掛けの形状は特に限定されない。例えば、持手部を外側に延設した部分を、指を掛けやすくするために湾曲させたもの、円柱状の部材の中央付近を指を掛け易くするために縮径したのものを挙げることができる。なお、材質も特に限定されず、鋏片と同一の材質であっても、相違する材質であってもよい。
【００１５】
そして、この指掛けが識別部を有することにより、鋏における識別部の位置が端部に近いものとなる。すなわち、複数の鋏をシザーケースに入れて携帯する場合、ケースの形態によっては枢着部や指通孔は必ずしも露出しないが、指掛けであればケースの上部から視認することが容易である。また、鋏を取り出す際に指に触れ易い部分であるため、触覚による識別のための指標を設ける部分として適している。ここで、指掛けが一対の持手部の両方に設けられている場合は、識別部はその両方の指掛けに具備されるものであっても、何れか一方の指掛けに具備されるものであってもよい。
【００１６】
ここで、識別部の態様としては、指掛けに掛ける指に対して邪魔にならない位置において指掛本体を切削する等により、特徴ある形状の部分を形成したもの、筋や模様を彫刻等したもの、指掛けに対して特徴ある形状等を有する別体を付加するもの等を例示することができる。ここで、別体を付加する場合、別体は指掛けに対して接着、溶着等により固定されるものであっても、着脱自在に取付け可能なものであってもよい。
【００１７】
更に、指掛け自体が持手部に対して着脱自在とし、上記のような識別の指標としての要素の異なる指掛けを複数備え、持手部に取付ける指掛けを適宜選択することにより、鋏を識別することとすることもできる。
【００１８】
従って、本考案によれば、指掛けが識別部を有することにより、使用者の手が触れやすい位置に識別部が設けられることとなる。これにより、触覚による鋏の識別が容易なものとなる。また、鋏片において刃先と対向する端部に近い位置に識別部が設けられることとなる。これにより、シザーケース等の入れ物で鋏を携帯する場合であっても、識別部の視認が容易であり、ケース等から鋏を抜出す必要なく、鋏を識別することが可能となる。
【００１９】
更に、本考案に係る鋏は、「前記識別部は、着脱可能に形成された識別端子と、前記指掛けの指掛本体に設けられ、前記識別端子を止着可能な識別受部とを具備する」ものとすることもできる。
【００２０】
ここで、識別端部は、指掛けに対して着脱可能に形成され、且つ、触覚及び視覚の少なくとも何れか一方による識別の指標となることが可能な構成を有するものである。そして、この識別端子の形状、大きさ、色、材質、個数、及びその組合わせ等により、触覚、視覚を通じて他の鋏から識別することが可能となる。かかる識別端子としては、指掛本体に挿通可能な環状の部材や、螺子部によって指掛本体に対して取付け可能とされた、螺子状の部材を例示することができる。
【００２１】
また、識別受部は、前述の識別端子を止着可能に、指掛本体において形成されるものである。例えば、指掛本体を切削等して溝状に形成され、環状の部材である識別端子を埋め込むように止着するものや、指掛本体に穿設され、螺子状の部材である識別端子を螺合により止着するものを挙げることができる。このような識別受部を有することにより、鋏を使用する動作によっても識別端子が指掛けから外れるおそれのないものとなり、識別端子を指掛けへ取付けた状態が安定することとなる。
【００２２】
ここで、識別受部の数は識別端子の数より多くても構わない。この場合は、取付ける識別端子の数が同じ場合であっても、どの識別受部に取付けるかの位置の選択により、識別端子の取付け状態を変化させることができる。また、取付けられた識別端子の数、位置、形状等が識別の指標となるだけでなく、識別端子を取付けない状態における識別受部自体も、その形状や凹凸により識別のための指標としての効果を発揮することができる。すなわち、識別部を構成する識別端子及び識別受部の両方が、鋏の識別のための指標となる。
【００２３】
そして、識別端子が指掛けに対して着脱可能であることにより、指掛け自体は持手部と一体的に形成されて着脱不能な場合であっても、この識別端子を取付けることによって、識別端子及び識別受部を指標として鋏を識別することが可能となる。
【００２４】
更に、鋏の使用者自身が、指掛けに取付ける識別端子の個数や位置の組合わせなどを自由に変化させ、或いは、形状や色等の異なる識別端子の中から取付けるものを自由に選択することが可能となる。これにより、例えば、美容師が髪をカットする作業のために携帯する鋏の種類や本数を変更する場合にも、これに応じて、識別端子の指掛けへの取付け状態を容易に変化させることができる。
【００２５】
従って、本考案によれば、指掛けに対して着脱自在に取付けられる識別端子及びそれを止着するために形成される識別受部を指標として、鋏を識別することが可能となる。また、識別受部によって識別端子が安定的に止着されるため、指掛けに取付けた識別端子が鋏の使用中に外れる等により、鋏の使用に支障をきたす恐れなく使用することが可能となる。
【００２６】
更に、識別端子と識別受部とが共に識別の指標となり得るため、識別端子の取付けの有無、取付ける個数や形状、取付ける識別受部の位置等により、また、これらの組合わせにより、識別の指標としての状態を複数創出することができる。
【００２７】
加えて、識別端子が着脱自在であるため、鋏の使用者自身が、識別受部に取付ける識別端子の種類、個数、位置等を自由に変化させることができる。
【００２８】
また、本考案に係る鋏は、「前記識別端子は、前記指掛けに挿通可能な環状部材であり、前記識別受部は、前記指掛けの前記指掛本体の外周に沿って環状に形成され、前記環状部材を止着可能な溝部である」ものとすることもできる。
【００２９】
ここで、環状部材は、指掛けに挿通可能であれば中空であっても中実であってもよく、ＯリングやＣリング等を例示することができる。また、材質も特に限定されない。例えば、ゴム製のＯリングであれば、ゴムを伸ばして指掛けに挿通させ易く、また、挿通させた後も指掛けにフィットして取付け状態が安定しやすい。更に、ゴムが、指掛けに掛けた指に対して滑り止めの効果をも奏するため、好適である。
【００３０】
また、溝部は、指掛けの表面を切削する等して形成され、この溝部に環状部材が埋込まれるように取付けられることにより、指掛けにしっかりと止着される。そのため、鋏の使用者が髪をカットする動作によっても、環状部材が指掛けから抜け落ちる恐れのないものとなる。
【００３１】
このとき、溝部に止着された環状部材が、溝部に完全に埋没することなく部分的に指掛本体の表面から突出していれば、これを指標として触覚により鋏を識別することができる。例えば、環状部材がゴム製のＯリングである場合は、その断面は円形であるため、この断面径より僅かに大きな径を有する略半円形の断面を有する溝部を形成することにより、Ｏリングは溝部に半ば埋め込まれ、残る部分が指掛本体の外表面から突出することとなる。
【００３２】
また、環状部材を取付けない溝部を識別の指標とすることもできる。すなわち、溝部は指掛本体の外表面と共に凹凸を形成するため、指掛けに手を触れることにより、触覚で識別することもできる。すなわち、取付けた環状部材の数や位置、環状部材が取り付けられない溝部の数や位置、及び、これらの組合わせを、鋏の識別のための指標とすることができる。
【００３３】
なお、環状部材は、異なる色を付したものを複数備えるものとしてもよい。この場合は、例えば、指掛けの同一の溝部に環状部材を一つだけ取付ける場合であっても、環状部材の色によって鋏を識別することが可能となる。
【００３４】
従って、本考案によれば、指掛けに形成された溝部に環状部材を半ば埋込むように取付けることで、環状部材が指掛けにしっかりと止着される。そして、環状部材及び溝部を指標として、鋏を触覚、視覚により識別することが可能となる。このとき、環状部材の数や位置、溝部の数や位置、及び、これらの組合わせを、鋏の識別のための指標とすることができる。
【００３５】
次に、本考案に係る鋏用指掛けは、「鋏の環状の指通孔に挿入されない指を支持可能な指掛本体と、該指掛本体の端部に形成され、前記指通孔を有する一対の持手部の少なくとも何れか一方に着脱可能な取付部と、触覚及び視覚の少なくとも何れか一方により他の鋏と識別可能とする識別部と」を主に具備して構成されている。
【００３６】
ここで、指掛本体は、鋏の指通孔に挿入されない指を支持可能であれば、その形状は特に限定されない。そして、この指掛本体は、その端部に形成された取付部によって、持手部に対して着脱自在なものとされる。この取付部としては、持手部に形成された孔部に圧入される軸部、持手部に形成された螺子孔に螺合可能な螺子部等を例示することができる。
【００３７】
また、鋏用指掛けが有する識別部としては、指掛本体に特徴ある形状を有する部分を形成したもの、或いは、特徴ある形状の別体を着脱自在、又は着脱不能に指掛本体に取付けるもの等、上述した鋏におけるものと同様のものを例示することができる。
【００３８】
従って、本考案によれば、識別部を有する鋏用指掛けを鋏に対して着脱可能に取付けるのみにより、他の鋏と識別することが困難であった従来の鋏を、他の鋏と識別することが可能となる。この識別は、鋏用指掛けの有する識別部を視認することにより視覚によって容易に行うことができる。或いは、識別部の形状や凹凸等を指標として、鋏用指掛けに手を触れた際の触覚によって行うこともできる。
【００３９】
これにより、例えば、美容師等の鋏の使用者が複数の鋏をケースに入れて携帯する場合に、鋏に本考案の鋏用指掛けを取付けておくことにより、ケースから鋏を抜出すなどして刃の形状を確認するまでもなく、鋏用指掛けを指標として鋏を識別をすることが可能となる。そのため、髪をカットする作業中に頻繁に鋏を取替える場合であっても、作業の流れが途切れることがなく、作業性を高めることができる。また、同一の種類の複数の鋏において、指掛けを本考案の鋏用指掛けに付け替えることにより、相互に識別することが可能となる。
【考案の効果】
【００４０】
以上のように、本考案の鋏及び鋏用指掛けによれば、触覚及び視覚の少なくとも何れか一方によって他の鋏から識別可能な識別部を有することにより、刃の形状を確認しなくても、容易に他の鋏と識別することが可能となる。
【考案を実施するための最良の形態】
【００４１】
以下、本考案の実施するための最良の一実施形態である鋏について、図１及び図２に基づき説明する。図１（ａ）は本考案の鋏及び鋏用指掛けの一例を示す全体図であり、図１（ｂ）は鋏用指掛けを拡大して示す拡大図であり、図２は図１の鋏用指掛けへのＯリングの取付け状態を示す説明図であり、図３は他の実施例を示す説明図である。
【００４２】
本実施形態の鋏１は、図１に示すように、夫々刃部２ａ，２ｂ及び環状の指通孔５ａ，５ｂを有する持手部３ａ，３ｂを備えた一対の鋏片４ａ，４ｂと、刃部２ａ，２ｂと持手部３ａ，３ｂとの間に位置し、一対の鋏片４ａ，４ｂを軸１０周りに互いに回動可能に枢着する枢着部１１と、一対の持手部３ａ，３ｂの少なくとも一方に対して着脱可能であり、指通孔５ａ，５ｂに挿入されない指を支持可能な鋏用指掛け２０とを主に具備して構成されている。
【００４３】
そして、一対の持手部３ａ，３ｂの両方において、鋏片の刃先にほぼ対向する位置において螺子孔１２ａ，１２ｂが設けられ、これらの螺子孔１２ａ，１２ｂに鋏用指掛け２０が着脱自在に取付け可能なものとされている。なお、本実施形態では、これらの螺子孔１２ａ，１２ｂの内の一方の螺子孔１２ｂにおいて、一般に実施されている通常の指掛け４０を本考案の鋏用指掛け２０に付け替え、他方の螺子孔１２ａには従来の指掛け４０が取付けられている場合を例示する。なお、両方の螺子孔１２ａ，１２ｂに本考案の鋏用指掛け２０を取付けることとすることもできる。また、本実施例の鋏１は、両方の持手部３ａ，３ｂに対して、鋏用指掛け２０が取付け可能なものであるが、一方の持手部にのみ螺子孔を有する鋏に対しても、本実施形態の鋏用指掛け２０を取付けることができる。
【００４４】
更に詳しく説明すると、本考案の鋏用指掛け２０の指掛本体２１は、断面が円形の棒状であり、支持する指を掛け易くするために、長手方向において中央ほど断面が縮径されてている。そして、指掛本体２１の一方の端部には、持手部３ａ，３ｂに穿設された螺子孔１２ａ，１２ｂに対して螺合可能な螺子部２２が形成されている。この螺子部２２が本発明の取付部に相当する。更に、指掛本体２１には、その外周に沿って断面が略半円径の溝部２５が環状に２本設けられている。なお、溝部２５の本数はこれに限定されず、より多く設けることとしても良く、また、一本であっても良い。
【００４５】
そして、これらの溝部２５には、ゴム製のＯリング３０を着脱自在に取付けることが可能である。ここで、Ｏリング３０の断面は円形であるため、溝部２５の径をＯリング３０の径より僅かに大きいものに設定することにより、Ｏリング３０は溝部２５によってしっかりと止着され、且つ、Ｏリング３０は溝部２５に埋没することなく、半ば露出することとなる。なお、Ｏリング３０の材質はゴムに限定されない。また、Ｏリング３０は、市販の汎用品を使用することも可能である。また、異なる色を付したものを複数使用するものとすることもできる。なお、Ｏリング３０が本発明の環状部材に相当する。
【００４６】
次に、本実施形態の鋏１における鋏用指掛け２０の使用方法について、主に図２を用いて説明する。まず、鋏１の持手部３ｂの螺子孔１２ｂに取付けられていた従来の指掛け４０を取り外す。そして、図１（ｂ）に示すように、この螺子孔１２ｂに指掛本体２１の螺子部２２を螺合させることにより、本考案の鋏用指掛け２０を持手部３ｂに対して取付けることができる。もちろん、持手部３ａの螺子孔１２ａに対して取付けることととしてもよく、両方の持手部３ａ，３ｂの螺子孔１２ａ，１２ｂの両方に対して鋏用指掛け２０を取付けることもできる。これにより、鋏１を、従来の鋏用指掛け４０を取付けた鋏、或いは、鋏用指掛け２０を取付けていない状態の他の鋏と識別することが可能となる。この識別は、視覚によっても可能であるが、溝部２５と指掛本体２１の表面によって形成される凹凸により、鋏用指掛け２０に手で触れた際の触覚によって識別することもできる。
【００４７】
この指掛本体２１には、Ｏリング３０を取付けることができ、これを指掛本体２１の外周に沿って形成された溝部２５に保持させて止着することができる。このとき、Ｏリング３０はゴム製で弾性を有するため、環を伸ばして容易に指掛本体２１に挿通させることができる。また、取付けた後も指掛本体２１にフィットして溝部２５にしっかりと保持される。更に、ゴム製であることにより、指掛けに掛けた指に対して滑り止めの効果も期待できる。これにより、鋏の使用者が鋏を激しく動かして作業する場合であっても、指掛本体２１からＯリング３０が脱落する恐れがない。
【００４８】
そして、Ｏリング３０の取付け状態の相違によって、鋏の識別を行うことができる。例えば、本実施例のように溝部２５が２本設けられている場合は、図２に示すように、溝部２５にＯリング３０が取付けられていない状態（図２（ａ））、Ｏリング３０が１個取付けられている場合（図２（ｂ）及び図２（ｃ））、Ｏリング３０が２個取付けられている場合（図２（ｄ））の４つの状態が創出される。これにより、Ｏリング３０の取付け状態の異なる鋏用指掛け２０を指標として、鋏を識別することができる。もちろん、溝部２５及びＯリング３０をより多く具備する場合は、より多くの相違する状態を設定することが可能となる。なお、図２では、識別対象の鋏は省略して、鋏用指掛け２０に対するＯリング３０の取付け状態のみを図示している。
【００４９】
このとき、溝部２５に取付けたＯリング３０は溝部２５から半ば露出し、鋏用指掛け２０の指掛本体２１の外表面から突出しており、また、Ｏリング３０を取付けていない位置においても、溝部２５と指掛本体２１の外表面とにより凹凸が形成されているため、鋏用指掛け２０に手を触れることにより、触覚で鋏を識別することが可能となる。また、視覚によって識別する場合であっても、鋏用指掛け２０を一瞥するのみで容易に識別することができる。これにより、従来の鋏の場合のように、刃の形状を確認しなくても、容易に他の鋏と識別することができる。
【００５０】
なお、異なる色に着色されたＯリング３０を使用する場合は、同じ数のＯリング３０を同じ位置の溝部２５に取付ける場合であっても、識別が可能となる。
【００５１】
そして、Ｏリング３０は、鋏用指掛け２０の指掛本体２１に対して着脱自在であるため、鋏の使用者自身が使用する鋏の種類や本数に応じて、自由にＯリング３０の取付けを行い、識別の指標としてのＯリング３０の取付け状態を設定することができる。加えて、例えば、携帯する鋏の種類や本数を変更したときなど、識別したい対象の鋏が変化した場合等においても、鋏の使用者自身が、極めて容易に、識別の指標としての鋏用指掛け２０の設定を変更することができる。
【００５２】
以上のように、本実施形態の鋏１及び鋏用指掛け２０によれば、Ｏリング３０及び溝部２５を指標として、鋏を触覚、視覚により識別することが可能となる。このとき、Ｏリング３０の数、溝部２５の数やＯリング３０を取付ける位置、及びこれらの組合わせを指標として、鋏を識別することが可能となる。
【００５３】
そして、鋏用指掛け２０を鋏に対して取付けるだけで、他の鋏と識別することが困難であった従来の鋏を、他の鋏と識別可能なものとすることができる。この識別は、鋏用指掛け２０を視認することにより瞬時に行うことができ、或いは、Ｏリング３０や溝部２５によって形成される凹凸等を指標として、鋏用指掛け２０に手を触れた際の触覚によって行うこともできる。
【００５４】
また、使用者の手が触れやすい位置にある鋏用指掛け２０が識別の指標としての機能を有するため、触覚による鋏の識別が容易なものとなる。また、鋏用指掛け２０は鋏片において端部に近い位置であるため、例えば、シザーケースに鋏を入れて携帯する場合であっても、ケースの上部からの視認が容易であり、視覚による識別も容易なものとなる。
【００５５】
すなわち、美容師等の鋏の使用者が複数の鋏をケースに入れて携帯する場合においても、ケースから鋏を抜出すなどして刃の形状を確認するまでもなく、鋏用指掛け２０を指標として鋏を識別をすることが可能となる。これにより、髪をカットする作業中に頻繁に鋏を取替える場合であっても、作業の流れが途切れることがなく、作業性を高めることができる。また、同一の美容院において複数の美容師が同種類の鋏を使用する場合等、同一の種類の鋏が複数存在する場合であっても、これらを相互に識別することも可能となる。
【００５６】
更に、Ｏリング３０が着脱自在であるため、鋏の使用者自身が、溝部２５に取付けるＯリング３０の個数や取付位置等を自由に変化させることができる。
【００５７】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００５８】
例えば、本実施形態では、指掛けは鋏の持手部に着脱可能であるが、指掛け自体は鋏片と一体的に構成され、指掛けに形成された識別受部に識別端子を着脱自在に取付けることにより、識別の指標とするものでも良い。例えば、図３に示すように、一対の鋏片の一方の持手部５１を延設して形成された指掛け５０に、識別受部としての螺子孔部５５を複数穿設し、識別端子としての螺子部材６０を取付けるものとすることができる。
【００５９】
このとき、螺子孔部５５を設ける位置は特に限定されないが、鋏の使用者が髪をカットする際に螺子部材６０の頭部６１が指に当接して邪魔になることがないよう、指掛け５０において掛ける指と対向する側、すなわち、他方の鋏片に近い側に設けることが望ましい。そして、この螺子孔部５５に螺子部材６０の螺子部６２が螺合されることにより、螺子部材６０が指掛け５０にしっかりと保持され、鋏の使用者が髪をカットする動作によっても、螺子部材６０が指掛け５０から脱落する恐れのないものとなる。
【００６０】
そして、螺子孔部５５への螺子部材６０の取付けの有無、取付ける個数、取付位置、及びこれらの組合わせを指標として、鋏を識別することが可能となる。また、螺子部材６０は、頭部６１の形状が同一のものを複数備えるものとすることも、頭部６１の形状の異なるものを複数備えるものとすることもできる。後者の場合では、取付ける螺子部材６０の個数や位置に加え、頭部６１の形状をも指標として鋏を識別することができる。
【図面の簡単な説明】
【００６１】
【図１】（ａ）は本考案の鋏及び鋏用指掛けの一例を示す全体図であり、（ｂ）は鋏用指掛けを拡大して示す拡大図である。
【図２】図１の鋏用指掛けへのＯリングの取付け状態を示す説明図である。
【図３】他の実施例を示す説明図である。
【図４】美容師が複数の鋏を携帯して使用する様子を示す説明図である。
【符号の説明】
【００６２】
１  鋏
２ａ，２ｂ  刃部
３ａ，３ｂ  持手部
４ａ，４ｂ  鋏片
５ａ，５ｂ  指通孔
１０  軸
１１  枢着部
２０  鋏用指掛け（指掛け）
２１  指掛本体
２２  螺子部（取付部）
２５  溝部（識別受部、識別部）
３０  Ｏリング（環状部材、識別端子、識別部）
【図１】
0003111340.tif 000003
【図２】
0003111340.tif 000004
【図３】
0003111340.tif 000005
【図４】
0003111340.tif 000006